(57)【要約】【課題】画像の鮮明度を維持しながら、格子感を減少させたディスプレイ装置を提供する。【解決手段】本発明は、ディスプレイパネルの上部に光路調整フィルムを配置し、ディスプレイパネルから具現化される光の経路を非開口領域に対応する領域まで拡張して、画像の鮮明度を維持しながら格子感を減少させ、ディスプレイパネルの信頼性を確保する効果を奏する。【選択図】図２
2018097365.tif 000002
【特許請求の範囲】
【請求項１】
複数のサブピクセルを有するピクセルを含むディスプレイパネルと、
前記ディスプレイパネルの上部に位置する光路調整フィルムと、
を備え、
前記光路調整フィルムは、第１ベースフィルムおよび前記第１ベースフィルムの一面に配置されるパターン層を含み、
前記パターン層は、第１屈折率を有する第１パターン、そして前記第１屈折率より小さい第２屈折率を有する、前記第１パターン間の第２パターンからなり、
前記第１パターンは、前記ディスプレイパネルと一定の距離を置いて平行に配置される上面部と、前記上面部と前記ディスプレイパネルとの間に配置される下面部と、前記上面部と前記下面部を連結する複数の傾斜面とを含む
ディスプレイ装置。
【請求項２】
前記光路調整フィルムは、第２ベースフィルムをさらに含み、前記パターン層が前記第１ベースフィルムと前記第２ベースフィルムとの間に配置される、
請求項１に記載のディスプレイ装置。
【請求項３】
前記第１パターンの前記下面部の大きさが、前記上面部の大きさより大きい、
請求項１に記載のディスプレイ装置。
【請求項４】
前記第１パターンは、前記ディスプレイパネルの前記サブピクセルとそれぞれマッチし、前記第１パターンの前記上面部の大きさは、前記サブピクセルの開口領域の面積より大きく、前記下面部の大きさは、前記サブピクセルの面積と同じであるか、または前記サブピクセルの面積より小さい、
請求項３に記載のディスプレイ装置。
【請求項５】
前記第１パターンは、前記ディスプレイパネルの前記ピクセルとそれぞれマッチし、前記第１パターンの前記上面部の大きさは、前記ピクセルの開口領域および前記開口領域間の非開口領域を含む面積より大きく、前記下面部の大きさは、前記ピクセルの面積と同じであるか、または前記ピクセルの面積より小さい、
請求項３に記載のディスプレイ装置。
【請求項６】
前記第１パターンの前記上面部の大きさが前記下面部の大きさより大きい、
請求項１に記載のディスプレイ装置。
【請求項７】
前記第１パターンは、前記ディスプレイパネルの前記サブピクセルとそれぞれマッチし、前記第１パターンの前記下面部の大きさは、前記サブピクセルの開口領域の面積より大きく、前記上面部の大きさは、前記サブピクセルの面積と同じであるか、または前記サブピクセルの面積より小さい、
請求項６に記載のディスプレイ装置。
【請求項８】
前記第１パターンは、前記ディスプレイパネルの前記ピクセルとそれぞれマッチし、前記第１パターンの前記下面部の大きさは、前記ピクセルの開口領域および前記ピクセルの開口領域間に形成された非開口領域を含む面積より大きく、前記上面部の大きさは、前記ピクセルの面積と同じであるか、または前記ピクセルの面積より小さい、
請求項６に記載のディスプレイ装置。
【請求項９】
前記第１パターンがそれぞれ所定の距離、離隔して配置される、
請求項１に記載のディスプレイ装置。
【請求項１０】
前記第１パターンは、多角錐体状、または円錐体状からなる、
請求項１ないし請求項９のうち、いずれか一項に記載のディスプレイ装置。
【請求項１１】
複数のサブピクセルを有するピクセルを含むディスプレイパネルと、
前記ディスプレイパネルの上部に位置する第１光路調整フィルムと、
を備え、
前記第１光路調整フィルムは、
第１屈折率を有する円筒状の第１パターン部を複数含み、
前記第１屈折率より小さい第２屈折率を有し、前記第１パターン部間に配置される第２パターン部を含む
ディスプレイ装置。
【請求項１２】
複数のサブピクセルを有するピクセルを含むディスプレイパネルと、
前記ディスプレイパネルの上部に位置する第２光路調整フィルムと、
を備え、
前記第２光路調整フィルムは、第１パターン層、および前記第１パターン層の上部に配置された第２パターン層を含み、
前記第１パターン層および前記第２パターン層のそれぞれは、長軸と短軸を有するバー状の複数の第１パターン部、そして前記第１パターン部間に配置される第２パターン部を含み、
前記第１パターン部のそれぞれは、台形状の第１面、前記第１面の反対に配置される台形状の第２面、前記第１面と前記第２面のそれぞれの底辺を連結する第３面、前記第３面の反対に配置される第４面、そして前記第３面と前記第４面を連結する第１傾斜面および第２傾斜面を含み、
前記第１面および前記第２面は、前記第１パターン部の前記短軸に配置されて、
前記第３面と前記第４面、および前記第１傾斜面と前記第２傾斜面は、前記第１パターン部の前記長軸に配置された
ディスプレイ装置。
【請求項１３】
前記第１パターン部の高さは、１２０μｍ以下である、
請求項１１に記載のディスプレイ装置。
【請求項１４】
前記第１パターン部の直径は、１０μｍ以下である、
請求項１３に記載のディスプレイ装置。
【請求項１５】
前記第１パターン部は第１屈折率を有し、前記第２パターン部は前記第１屈折率より小さい第２屈折率を有する、
請求項１２に記載のディスプレイ装置。
【請求項１６】
前記第１パターン層の前記第１パターン部の前記長軸は、第１軸に配置され、前記第２パターン層の前記第１パターン部の前記長軸は、前記第１軸に垂直な第２軸に配置される、
請求項１５に記載のディスプレイ装置。
【請求項１７】
前記複数の第１パターン部は、互いに隣接する前記第１傾斜面および前記第２傾斜面の下部エッジが接触して配置される、
請求項１６に記載のディスプレイ装置。
【請求項１８】
前記複数の第１パターン部は、互いに離隔して配置される、
請求項１６に記載のディスプレイ装置。
【請求項１９】
前記底辺の長さは、１５μｍ以下である、請求項１２に記載のディスプレイ装置。
【請求項２０】
前記第１光路調整フィルムの下部に第１ベースフィルムが配置される、
請求項１１に記載のディスプレイ装置。
【請求項２１】
前記第１光路調整フィルムの上部に第２ベースフィルムが配置される、
請求項２０に記載のディスプレイ装置。
【請求項２２】
前記第２光路調整フィルムの下部に第１ベースフィルムが配置される、
請求項１２に記載のディスプレイ装置。
【請求項２３】
前記第２光路調整フィルムの上部に第２ベースフィルムが配置される、
請求項２２に記載のディスプレイ装置。
【請求項２４】
前記第２光路調整フィルムの前記第２パターン層と前記第１パターン層との間に第３ベースフィルムが配置される、
請求項２２に記載のディスプレイ装置。
【請求項２５】
前記第２光路調整フィルムの前記第２パターン層の上部に第２ベースフィルムが配置される、
請求項２４に記載のディスプレイ装置。
【請求項２６】
前記第２光路調整フィルムの前記第１パターン層と前記第２パターン層との間に粘着テープが配置される、
請求項２２に記載のディスプレイ装置。
【発明の詳細な説明】
【技術分野】
【０００１】
本発明は、ディスプレイ装置に関するものであって、ディスプレイパネルの上部に光路調整フィルムを配置し、画像の鮮明度を維持しながら格子感を減少させたディスプレイ装置に関するものである。
【背景技術】
【０００２】
一般的に、液晶表示装置（ｌｉｑｕｉｄ  ｃｒｙｓｔａｌ  ｄｉｓｐｌａｙ：ＬＣＤ）、プラズマディスプレイパネル（ｐｌａｓｍａ  ｄｉｓｐｌａｙ  ｐａｎｅｌ：ＰＤＰ）、有機発光ダイオード表示装置（ｏｒｇａｎｉｃ  ｌｉｇｈｔ  ｅｍｉｔｔｉｎｇ  ｄｉｏｄｅ：ＯＬＥＤ）といったフラットディスプレイ装置は、高解像度の具現が容易であり、大画面ディスプレイ装置として様々なメリットを有する。
【０００３】
一方、ディスプレイ装置は、ディスプレイパネルを備え、ディスプレイパネルは、ピクセルを含み、ピクセルは、一つの色を具現する複数のサブピクセルからなる。
【０００４】
ディスプレイパネルについて、さらに詳細に説明すると、ディスプレイパネルが液晶パネルである場合、複数のゲートラインおよびデータライン、それらの交差点に定義される画素領域、各画素領域における光透過度を調節するためのスイッチング素子である薄膜トランジスタ（ＴＦＴ）を含むアレイ基板と、カラーフィルターおよび／またはブラックマトリクスなどを含む上部基板と、それらの間に形成される液晶物質層とを備えて構成することができる。
【０００５】
ディスプレイパネルが有機発光ダイオードディスプレイパネルである場合、複数のゲートラインおよびデータライン、それらの交差点に定義される画素領域、各画素領域に形成された有機発光ダイオード、有機発光ダイオードに選択的に電気信号を印加するためのスイッチング素子である薄膜トランジスタ（ＴＦＴ）を含むアレイ基板と、上部の保護基板などから構成することができる。
【０００６】
図１は、ディスプレイパネルのサブピクセルの配置を示す図面である。
【０００７】
図１に示すように、ディスプレイパネル１１は、サブピクセルである赤のサブピクセル（Ｐｒ）、緑のサブピクセル（Ｐｇ）、および青のサブピクセル（Ｐｂ）を用いてピクセル（Ｐ）を構成し、複数のピクセルＰによって様々なカラー映像を表示する。
【０００８】
また、各サブピクセル（Ｐｒ、Ｐｇ、Ｐｂ）は、開口領域（Ａ１）および非開口領域（Ａ２）を有する。開口領域（Ａ１）は、サブピクセル（Ｐｒ、Ｐｇ、Ｐｂ）から光が出射される領域であり、非開口領域（Ａ２）は、サブピクセル（Ｐｒ、Ｐｇ、Ｐｂ）から光が出射されない領域である。
【０００９】
かかる非開口領域（Ａ２）は、ディスプレイを見る人に非開口領域（Ａ２）が一つに繋がっているように見え、格子状に認識される（格子感）ため、ディスプレイ装置の画質を低下させる要因となっている。
【００１０】
しかしながら、工程のマージン上、サブピクセル（Ｐｒ、Ｐｇ、Ｐｂ）の非開口領域（Ａ２）を減らすには限界があるので、視認される格子感を減少させるための様々な研究を行ったところ、画質が不鮮明になる現象（Ｉｍａｇｅ  Ｂｌｕｒ）が伴われた。このため、画像の鮮明度を維持しながら格子感を減少できる方案が必要となった。
【００１１】
特に、ＶＲ（Ｖｉｒｔｕａｌ  Ｒｅａｌｉｔｙ）機器を視聴するとき、かかる格子感および画像のぼかしがさらに目立つため、それを解決する方案が必要となる。
【発明の概要】
【発明が解決しようとする課題】
【００１２】
本発明は、かかる問題を解決するために提示されたものであって、画像の鮮明度を維持しながら、格子感を減少させたディスプレイ装置を提供することを目的とする。
【課題を解決するための手段】
【００１３】
上記のような技術的課題を達成するため、本発明は、複数のサブピクセルを有するピクセルを含むディスプレイパネルと、前記ディスプレイパネルの上部に位置する光路調整フィルムとを備え、前記光路調整フィルムは、第１ベースフィルムおよび前記第１ベースフィルムの一面に配置されるパターン層を含み、前記パターン層は、第１屈折率を有する第１パターン、そして前記第１屈折率より小さい第２屈折率を有する、前記第１パターン間の第２パターンからなり、前記第１パターンは、前記ディスプレイパネルと一定の距離を置いて平行に配置された上面部と、前記上面部と前記ディスプレイパネルとの間に配置された下面部と、前記上面部と前記下面部を連結する複数の傾斜面とを含むディスプレイ装置を提供する。
【００１４】
また、前記光路調整フィルムは第２ベースフィルムをさらに含み、前記パターン層が前記第１ベースフィルムと前記第２ベースフィルムとの間に配置されるディスプレイ装置であってもよい。
【００１５】
また、前記第１パターンの前記下面部の大きさは、前記上面部より大きいディスプレイ装置であってもよい。
【００１６】
さらに、前記第１パターンは、前記ディスプレイパネルの前記サブピクセルとそれぞれマッチし、前記第１パターンの前記上面部の大きさは、前記サブピクセルの開口領域の面積より大きく、前記下面部の大きさは、前記サブピクセルの面積と同じであるか、またはそれより小さいディスプレイ装置であってもよい。
【００１７】
また、前記第１パターンは、前記ディスプレイパネルの前記ピクセルとそれぞれマッチし、前記第１パターンの前記上面部の大きさは、前記ピクセルの開口領域および前記開口領域間の非開口領域を含む面積より大きく、前記下面部の大きさは、前記ピクセルの面積と同じであるか、またはそれより小さいディスプレイ装置であってもよい。
【００１８】
また、前記第１パターンの前記上面部の大きさが前記下面部より大きいディスプレイ装置であってもよい。
【００１９】
さらに、前記第１パターンは、前記ディスプレイパネルの前記サブピクセルとそれぞれマッチし、前記第１パターンの前記下面部の大きさは、前記サブピクセルの開口領域の面積より大きく、前記上面部の大きさは、前記サブピクセルの面積と同じであるか、またはそれより小さいディスプレイ装置であってもよい。
【００２０】
また、前記第１パターンは、前記ディスプレイパネルの前記ピクセルとそれぞれマッチし、前記第１パターンの前記下面部の大きさは、前記ピクセルの開口領域および前記ピクセルの前記開口領域間に形成された非開口領域を含む面積より大きく、前記上面部の大きさは、前記ピクセルの面積と同じであるか、またはそれより小さいディスプレイ装置であってもよい。
【００２１】
また、前記第１パターンがそれぞれ所定の距離、離隔して配置されるディスプレイ装置であってもよい。
【００２２】
また、前記第１パターンは多角錐体状、または円錐体状からなるディスプレイ装置であってもよい。
【００２３】
本発明は、複数のサブピクセルを有するピクセルを含むディスプレイパネルと、前記ディスプレイパネルの上部に位置する第１光路調整フィルムとを備え、前記第１光路調整フィルムは、第１屈折率を有する円筒状の第１パターン部を複数含み、前記第１屈折率より小さい第２屈折率を有し、前記第１パターン部間に配置される第２パターン部を含むディスプレイ装置を提供する。
【００２４】
一方、本発明は、複数のサブピクセルを有するピクセルを含むディスプレイパネルと、前記ディスプレイパネルの上部に位置する第２光路調整フィルムとを備え、前記第２光路調整フィルムは、第１パターン層、および前記第１パターン層の上部に配置される第２パターン層を含み、前記第１パターン層および前記第２パターン層のそれぞれは、長軸と短軸を有するバー状の複数の第１パターン部、そして前記第１パターン部間に配置される第２パターン部を含み、前記第１パターン部のそれぞれは、台形状の第１面、前記第１面の反対に配置される台形状の第２面、前記第１面と前記第２面のそれぞれの底辺を連結する第３面、前記第３面の反対に配置される第４面、そして前記第３面と前記第４面を連結する第１傾斜面および第２傾斜面を含み、前記第１面および前記第２面は、前記第１パターン部の前記短軸に配置されて、前記第３面と前記第４面、および前記第１傾斜面と前記第２傾斜面は、前記第１パターン部の前記長軸に配置されるディスプレイ装置を提供する。
【００２５】
ここで、前記第１パターン部の高さは、１２０μｍ以下であってもよい。
【００２６】
また、前記第１パターン部の直径は、１０μｍ以下であってもよい。
【００２７】
そして、前記第１パターン部は、第１屈折率を有し、前記第２パターン部は、前記第１屈折率より小さい第２屈折率を有してもよい。
【００２８】
また、前記第１パターン層の前記第１パターン部の前記長軸は、第１軸に配置され、前記第２パターン層の前記第１パターン部の前記長軸は、第１軸に垂直な第２軸に配置されてもよい。
【００２９】
ここで、前記複数の第１パターン部は、互いに隣接する前記第１傾斜面および前記第２傾斜面の下部エッジが接触して配置されてもよい。
【００３０】
また、前記複数の第１パターン部は、互いに離隔して配置されてもよい。
【００３１】
そして、前記底辺の長さは、１５μｍ以下であってもよい。
【００３２】
また、前記第１光路調整フィルムおよび前記第２光路調整フィルムのそれぞれは、その下部に第１ベースフィルムが配置されてもよい。
【００３３】
そして、前記第１光路調整フィルムおよび前記第２光路調整フィルムのそれぞれは、その上部に第２ベースフィルムが配置されてもよい。
【００３４】
また、前記第２光路調整フィルムの前記第２パターン層と前記第１パターン層との間に第３ベースフィルムが配置されてもよい。
【００３５】
そして、前記第２光路調整フィルムの前記第２パターン層の上部に第２ベースフィルムが配置されてもよい。
【００３６】
ここで、前記第２光路調整フィルムの前記第１パターン層と前記第２パターン層との間に粘着テープが配置されてもよい。
【発明の効果】
【００３７】
上述したように、本発明は、ディスプレイパネルの上部に光路調整フィルムを配置して、ディスプレイパネルから具現化される光の経路を、非開口領域に対応する領域まで拡張させ、画像の鮮明度を維持しながら格子感を減少させる効果を奏する。
【図面の簡単な説明】
【００３８】
【図１】ディスプレイパネルのサブピクセルの配置を示す図面である。
【図２】本発明の第１実施例に係るディスプレイ装置を簡略に示す図面である。
【図３】本発明の第１実施例に係るパターンを拡大した図面である。
【図４】本発明の第１実施例に係るパターンを拡大した図面である。
【図５】本発明の第１実施例に係るディスプレイパネルのサブピクセルの配置を概略的に示す図面である。
【図６Ａ】本発明の第１実施例に係るディスプレイ装置の概略的な平面図である。
【図６Ｂ】図６ＡのＶＩ−ＶＩに沿った概略的な断面図である。
【図７Ａ】本発明の第１実施例に係るディスプレイ装置の他の例を示す概略的な平面図である。
【図７Ｂ】図７のＶＩＩ−ＶＩＩに沿った概略的な断面図である。
【図８】本発明の第１実施例に係る光路調整フィルムを通過する光の経路を示す図面である。
【図９】本発明の第１実施例によって具現化されたディスプレイ装置を示す画像である。
【図１０】本発明の第２実施例に係る光路調整フィルムを示す概略的な断面図である。
【図１１】本発明の第３実施例に係る光路調整フィルムを示す概略的な断面図である。
【図１２】本発明の第４実施例に係るディスプレイ装置を簡略に示す図面である。
【図１３】本発明の第４実施例に係るディスプレイ装置の概略的な平面図である。
【図１４】図４のＶ‐Ｖに沿った概略的な断面図である。
【図１５】本発明の第４実施例に係る光路調整フィルムが配置された場合における光の経路を示す図面である。
【図１６Ａ】本発明の第４実施例の光路調整フィルムの変形例を概略的に示す図面である。
【図１６Ｂ】本発明の第４実施例の光路調整フィルムの変形例を概略的に示す図面である。
【図１６Ｃ】本発明の第４実施例の光路調整フィルムの変形例を概略的に示す図面である。
【図１７Ａ】本発明の第５実施例に係るディスプレイ装置の光路調整フィルムを概略的に示す斜視図である。
【図１７Ｂ】第１パターン部を概略的に示す斜視図である。
【図１７Ｃ】第１パターン層における光の経路を概略的に示す図面である。
【図１７Ｄ】第２パターン層における光の経路を概略的に示す図面である。
【図１８】本発明の第５実施例に係るディスプレイ装置の第１パターン層および第２パターン層を通過するときの光の出射範囲を概略的に示す図面である。
【図１９Ａ】本発明の第５実施例の変形例を概略的に示す図面である。
【図１９Ｂ】本発明の第５実施例の変形例を概略的に示す図面である。
【図１９Ｃ】本発明の第５実施例の変形例を概略的に示す図面である。
【図１９Ｄ】本発明の第５実施例の変形例を概略的に示す図面である。
【図１９Ｅ】本発明の第５実施例の変形例を概略的に示す図面である。
【図１９Ｆ】本発明の第５実施例の変形例を概略的に示す図面である。
【図２０】本発明の第４実施例および第５実施例によって具現化されたディスプレイ装置を示す画像である。
【図２１】本発明の実施例に係るディスプレイ装置の一例を概略的に示す図面であって、有機発光ダイオードパネルを備える例である。
【図２２】本発明の実施例に係るディスプレイ装置の一例を概略的に示す図面であって、液晶パネルを備える例である。
【発明を実施するための形態】
【００３９】
以下、図面を参照し、本発明に係る好適な実施例について詳細に説明する。
【００４０】
図２は、本発明の第１実施例に係るディスプレイ装置を簡略に示す図面である。
【００４１】
図２を参照すると、本発明の第１実施例に係るディスプレイ装置１００は、ディスプレイパネル１１０と、ディスプレイパネル１１０の上部に配置された光路調整フィルム１２０とを備える。ディスプレイパネル１１０については後述する。
【００４２】
光路調整フィルム１２０は、第１ベースフィルム１２１と、第２ベースフィルム１２３と、第１ベースフィルム１２１と第２ベースフィルム１２３の間に配置されたパターン層１２２とを含む。
【００４３】
但し、第２ベースフィルム１２３は、外部光からの散乱を防止するためのものであるので、外部光の影響がない場合、例えばＶＲ（Ｖｉｒｔｕａｌ  Ｒｅａｌｉｔｙ）機器の場合には省略することができる。
【００４４】
第１ベースフィルム１２１は、パターン層を支持するためのものであって、ディスプレイパネル１１０と接触して水分や衝撃からディスプレイパネル１１０を保護し、信頼性を確保することもできる。
【００４５】
パターン層１２２は、第１屈折率を有する複数のパターン１２４と、それぞれのパターン１２４間に配置された、第１屈折率より小さい第２屈折率を有するエアギャップ１２５とを含む。但し、エアギャップ１２５は一例であって、これに限定されるものではなく、第１屈折率を有するパターン１２４より低い屈折率を有する物質からなってもよい。
【００４６】
第１ベースフィルム１２１および第２ベースフィルム１２３は、ポリエチレンテレフタレート（ＰＥＴ）や、ポリカーボネート（ＰＣ）、アクリル系の材料から形成することができ、パターン層１２２は、ポリカーボネート（ＰＣ）やアクリル系の材料から形成することができるが、これに限定されるものではない。
【００４７】
かかる光路調整フィルム１２０は、パターン層１２２を用いてディスプレイパネル１１０から出射される光の経路を調整し、外部へ出光させる。パターン層１２２を通じた光の経路調整は後述する。
【００４８】
図３および図４は、本発明の第１実施例に係るパターンを拡大した図面である。
【００４９】
図３および図４に示すように、パターン層（図２の１２２）を構成するそれぞれのパターン１２４は、ディスプレイパネル１１０と一定の距離を置いて平行に配置される上面部と、上面部とディスプレイパネル１１０との間に配置される下面部と、上面部と下面部とを一定の傾斜を持って連結する傾斜面とを有する。一例として、図３に示す四角錐体状であってもよく、図４に示す円錐体状であってもよい。
【００５０】
すなわち、パターン１２４の上面部および下面部の大きさが相違するように形成され、ディスプレイパネル１１０から出射された光の経路を調整できる構造であれば、その他の多角錐体状であってもよい。
【００５１】
図５は、本発明の第１実施例に係るディスプレイパネルのサブピクセルの配置を概略的に示す図面である。
【００５２】
図５に示すように、赤のサブピクセル（Ｒ）と青のサブピクセル（Ｂ）が同じ列に交互に形成され、隣接列に緑のサブピクセル（Ｇ）が形成されるペンタイル構造に配置することができるが、これに限定されるものではない。そして、それぞれのサブピクセル１１１は、開口領域１１１ａと非開口領域１１１ｂからなる。
【００５３】
ここで、開口領域１１１ａは、サブピクセル１１１から光が出射される領域であり、非開口領域１１１ｂは、サブピクセル１１１から光が出射されない領域を意味する。
【００５４】
かかる非開口領域１１１ｂは、格子感を感じさせ、画質を低下させる要因であるが、ディスプレイパネルでサブピクセルを駆動させるためのゲート配線およびデータ配線、そして薄膜トランジスタ（ＴＦＴ）などが形成される領域であるため、非開口領域１１１ｂを減らすには一定の限界があった。
【００５５】
図６Ａは、本発明の第１実施例に係るディスプレイ装置の概略的な平面図である。
【００５６】
図６Ａに示すように、ペンタイル構造のサブピクセル１１１の配置において、それぞれのサブピクセル１１１に対応し、光路調整フィルム（図２の１２０）の四角錐体状のパターン１２４を配置した。各サブピクセル１１１は、光が出射される開口領域１１１ａと、光が出射されない非開口領域１１１ｂを含む。
【００５７】
図６Ｂは、図６ＡのＶＩ−ＶＩに沿った概略的な断面図である。
【００５８】
図６Ｂに示すように、ディスプレイパネル１１０と、ディスプレイパネル１１０の上部に光路調整フィルム１２０が配置されている。
【００５９】
光路調整フィルム１２０は、第１ベースフィルム１２１と、第２ベースフィルム１２３と、第１ベースフィルム１２１と第２ベースフィルム１２３の間に配置されたパターン層１２２とからなる。
【００６０】
パターン層１２２は、複数のパターン１２４とエアギャップ１２５からなり、それぞれのパターン１２４は、それぞれのサブピクセル１１１に対応して配置されている。
【００６１】
これについて、さらに詳細に説明すると、それぞれのパターン１２４は、ディスプレイパネル１１０と一定の距離を置いて平行に配置される上面部と、上面部とディスプレイパネル１１０との間に配置される下面部と、上面部と下面部を一定の傾斜を持って連結する傾斜面とを有する形状にすることができる。
【００６２】
その場合、パターン１２４の上面部は、サブピクセル１１１の輝度減少を防止するため、サブピクセル１１１の開口領域１１１ａの面積より大きく形成することを特徴とする。また、パターン１２４の下面部は、上面部より大きく形成し、傾斜面を通じた光の経路を調整する。
【００６３】
但し、パターン１２４の下面部の大きさは、サブピクセル１１１の開口領域１１１ａの面積よりは大きくして、かつサブピクセル１１１の面積と同じようにして配置させるか、または小さくして、各パターン１２４の下面部が互いに重ならないようにして配置させることで、各パターン１２４が各サブピクセル１１１に対応するようにする。
【００６４】
図７Ａは、本発明の第１実施例に係るディスプレイ装置の他の例を示す概略的な平面図である。
【００６５】
図７Ａに示すように、ペンタイル構造のピクセル１１３の配置において、それぞれのピクセル１１３に対応し、光路調整フィルム（図２の１２０）のパターン１２４を配置した。
【００６６】
各ピクセル１１３は、光が出射される開口領域１１３ａと、光が出射されない非開口領域１１３ｂを含む。
【００６７】
非開口領域１１３ｂは、１つのピクセル１１３においてピクセル１１３の開口領域１１３ａの外縁を取り囲んで形成された非開口領域１１３ｂ２と、１つのピクセル１１３においてピクセル１１３の開口領域１１３ａ間に形成された非開口領域１１３ｂ１とからなる。
【００６８】
図７Ｂは、図７のＶＩＩ−ＶＩＩに沿った概略的な断面図である。
【００６９】
図７Ｂに示すように、ディスプレイパネル１１０と、ディスプレイパネル１１０の上部に光路調整フィルム１２０が配置されている。
【００７０】
光路調整フィルム１２０は、第１ベースフィルム１２１と、第２ベースフィルム１２３と、第１ベースフィルム１２１と第２ベースフィルム１２３の間に配置されたパターン層１２２とからなる。
【００７１】
パターン層１２２は、複数のパターン１２４とエアギャップ１２５からなり、それぞれのパターン１２４は、それぞれのピクセル１１３に対応して配置されている。
【００７２】
これについて、さらに詳細に説明すると、それぞれのパターン１２４は、ディスプレイパネル１１０と一定の距離を置いて平行に配置される上面部と、上面部とディスプレイパネル１１０との間に配置される下面部と、上面部と下面部を一定の傾斜を持って連結する傾斜面とを有する四角錐体状にすることができる。
【００７３】
その場合、パターン１２４の上面部は、ピクセル１１３の輝度減少を防止するため、各ピクセル１１３の開口領域１１３ａの面積およびピクセル１１３の開口領域１１３ａ間に形成された非開口領域１１３ｂ１の面積を含む領域より大きく形成することを特徴とする。また、パターン１２４の下面部は、上面部より大きく形成し、傾斜面を通じた光の経路を調整する。
【００７４】
但し、パターン１２４の下面部の大きさは、各ピクセル１１３の開口領域１１３ａの面積およびピクセル１１３の開口領域１１３ａ間に形成された非開口領域１１３ｂ１の面積を含む領域より大きくして、かつピクセル１１３の面積と同じようにして配置させるかか、または小さくして、パターン１２４の下面部が互いに重ならないようにして配置させることで、各パターン１２４が各ピクセル１１３に対応するようにする。
【００７５】
図８は、本発明の第１実施例に係る光路調整フィルムを通過する光の経路を示す図面である。
【００７６】
図８に示すように、第１ベースフィルム１２１を通じて入射した光が、パターン層１２２を構成するパターン１２４を進むとき、光の経路が調整され、第２ベースフィルム１２３を通じて出射されることが分かる。
【００７７】
具体的に、各サブピクセル（図６Ｂの１１１）の開口領域（図６Ｂの１１１ａ）からパターン１２４の下面部の中央部分へ垂直に入射した光は、第１ベースフィルム１２１とパターン１２４、そして第２ベースフィルム１２３を屈折することなく通過し、そのまま出射（［１］）される。
【００７８】
また、各サブピクセル（図６Ｂの１１１）の開口領域（図６Ｂの１１１ａ）からパターン１２４の下面部を通じて傾斜面へ入射した光は、全反射して光の経路が調整され、最終的にサブピクセル（図６Ｂの１１１）の非開口領域（図６Ｂの１１１ｂ）に対応する領域へ出射（［２］）される。
【００７９】
次に、各サブピクセル（図６Ｂの１１１）の開口領域（図６Ｂの１１１ａ）からパターン１２４の傾斜面に入射した光は、エアギャップ１２５とパターン１２４における屈折率差によって第２ベースフィルム１２３へ光の経路が調整され、非開口領域（図６Ｂの１１１ｂ）に対応する領域へ出射（［３］）される。
【００８０】
したがって、各サブピクセル（図６Ｂの１１１）から出射された光が光路調整フィルム１２０を通過する場合、各サブピクセル（図６Ｂの１１１）の開口領域（図６Ｂの１１１ａ）に対応する領域へ光が出射（［１］）されると同時に、各サブピクセル（図６Ｂの１１１）間の非開口領域（図６Ｂの１１１ｂ）に対応する領域へも光の経路を調整し、光が出射（［２］、［３］）されるようにするので、各サブピクセル（図６Ｂの１１１）間の非開口領域（図６Ｂの１１１ｂ）が繋がって格子状に認識される格子感を減少させると共に、画像の鮮明度を維持することができる。
【００８１】
図９は、本発明の第１実施例によって具現化されたディスプレイ装置を示す画像である。
【００８２】
図９に示すように、本発明によって具現化されたディスプレイ装置（図２の１００）では、サブピクセル（図６Ｂの１１１）の開口領域（図６Ｂの１１１ａ）から出射された光が光路調整フィルム（図８の１２０）を通過し、サブピクセル（図６Ｂの１１１）の開口領域（図６Ｂの１１１ａ）に対応する領域および非開口領域（図６Ｂの１１１ｂ）に対応する領域へ出射されるので、各サブピクセル（図６Ｂの１１１）の画像を鮮明に具現化すると同時に、それぞれのサブピクセル（図６Ｂの１１１）の非開口領域（図６Ｂの１１１ｂ）に対応する領域で発生する格子感を減少させることができたことが分かる。
【００８３】
図１０は、本発明の第２実施例に係る光路調整フィルムを示す概略的な断面図である。
【００８４】
図１０に示すように、光路調整フィルム２２０は、第１ベースフィルム２２１と、第２ベースフィルム２２３と、第１ベースフィルム２２１と第２ベースフィルム２２３の間に配置されたパターン層２２２とを含む。
【００８５】
但し、第２ベースフィルム２２３は、外部光からの散乱を防止するためのものであるので、外部光の影響がない場合、例えばＶＲ（Ｖｉｒｔｕａｌ  Ｒｅａｌｉｔｙ）機器の場合には省略することができる。
【００８６】
第１ベースフィルム２２１は、ディスプレイパネル（図７Ｂの１１０）と接触する層であって、水分や衝撃からディスプレイパネル（図７Ｂの１１０）を保護し、信頼性を確保することもできる。
【００８７】
パターン層２２２は、第１屈折率を有する複数のパターン２２４と、それぞれのパターン２２４間に配置された、第１屈折率より小さい第２屈折率を有するエアギャップ２２５とを含む。但し、エアギャップ２２５は一例であって、これに限定されるものではなく、第１屈折率を有するパターン２２４より低い屈折率を有する物質からなってもよい。
【００８８】
第１ベースフィルム２２１および第２ベースフィルム２２３は、ポリエチレンテレフタレート（ＰＥＴ）や、ポリカーボネート（ＰＣ）、アクリル系の材料から形成することができ、パターン層２２２は、ポリカーボネート（ＰＣ）やアクリル系の材料から形成することができるが、これに限定されるものではない。
【００８９】
パターン層２２２を構成するそれぞれのパターン２２４は、ディスプレイパネル（図７Ｂの１１０）と一定の距離を置いて平行に配置される上面部と、上面部とディスプレイパネル（図７Ｂの１１０）との間に配置される下面部と、上面部と下面部とを一定の傾斜を持って連結する傾斜面とを有する形状にすることができる。
【００９０】
但し、第２実施例では、第１実施例と異なってパターン２２４の下面部が所定の距離、離隔して形成される。
【００９１】
その場合でも、パターン２２４の上面部は、サブピクセル（図６Ｂの１１１）の輝度減少を防止するため、サブピクセル（図６Ｂの１１１）の開口領域（図６Ｂの１１１ａ）の面積より大きく形成することを特徴とする。また、パターン２２４の下面部は、上面部より大きく形成し、傾斜面を通じた光の経路を調整する。
【００９２】
但し、パターン２２４の下面部の大きさは、サブピクセル（図６Ｂの１１１）の開口領域（図６Ｂの１１１ａ）の面積より大きく形成するが、離間距離（ｄ）を考慮してサブピクセル（図６Ｂの１１１）の面積より小さく形成する。
【００９３】
図１１は、本発明の第３実施例に係る光路調整フィルムを示す概略的な断面図である。第１実施例と同じ部分については、説明を省略する。
【００９４】
パターン層（３２２）を構成するそれぞれのパターン３２４は、ディスプレイパネル（図７Ｂの１１０）と一定の距離を置いて平行に配置される上面部と、上面部とディスプレイパネル（図７Ｂの１１０）との間に配置される下面部と、上面部と下面部とを一定の傾斜を持って連結する傾斜面とを有する、逆四角錐体状、または逆円錐体状、またはその他の逆多角錐体状にすることができる。
【００９５】
第３実施例の場合、パターン３２４の下面部は、サブピクセルの輝度減少を防止するため、サブピクセル（図６Ｂの１１１）の開口領域（図６Ｂの１１１ａ）の面積より大きく形成することを特徴とする。また、パターン３２４の上面部は、下面部より大きく形成し、傾斜面を通じた光の経路を調整する。
【００９６】
但し、パターン３２４の上面部の大きさは、サブピクセル（図６Ｂの１１１）の開口領域（図６Ｂの１１１ａ）の面積より大きく形成するが、サブピクセル（図６Ｂの１１１）の面積と同一、または小さく形成し、パターン３２４の下面部が重ならないように配置する。
【００９７】
第３実施例の場合、第１ベースフィルム３２１を通じて入射した光が、パターン３２４を進むとき、光の経路が調整され、第２ベースフィルム３２３を通じて出射されることが分かる。
【００９８】
具体的に、各サブピクセル（図６Ｂの１１１）の開口領域（図６Ｂの１１１ａ）からパターン３２４の下面部を通じて入射した光は、第１ベースフィルム３２１とパターン３２４、そして第２ベースフィルム３２３を通過し、そのまま出射（［１］）される。
【００９９】
また、各サブピクセル（図６Ｂの１１１）の開口領域（図６Ｂの１１１ａ）からパターン３２４の傾斜面に入射した光は、エアギャップ３２５とパターン３２４における屈折率差によって第２ベースフィルム３２３へ光の経路が調整され、非開口領域（図６Ｂの１１１ｂ）に対応する領域へ出射（［２］）される。
【０１００】
したがって、各サブピクセル（図６Ｂの１１１）から出射された光が光路調整フィルム３２０を通過する場合、各サブピクセル（図６Ｂの１１１）の開口領域（図６Ｂの１１１ａ）に対応する領域へ光が出射（［１］）されると同時に、漏れる光を屈折させ、サブピクセル（図６Ｂの１１１）間の非開口領域（図６Ｂの１１１ｂ）に対応する領域へ光が出射（［２］）されるようにするので、サブピクセル（図６Ｂの１１１）間の非開口領域（図６Ｂの１１１ａ）が繋がって格子状に認識される格子感を減少させると共に、画像の鮮明度を維持することができる。
【０１０１】
また、第１実施例と同様、第３実施例のそれぞれのパターン３２４は、それぞれのピクセル（図７Ａの１１３）に対応して配置することもできる。
【０１０２】
特に、第３実施例は、光路調整フィルム３２０を薄型に製作する場合、パターン３２４の上面部と下面部を連結する傾斜面を緩やかに形成し、光路を効率的に調整できる構造である。
【０１０３】
図１２は、本発明の第４実施例に係るディスプレイ装置を簡略に示す図面である。
【０１０４】
図１２を参照すると、本発明の第４実施例に係るディスプレイ装置４００は、複数のサブピクセルを有するピクセルを含むディスプレイパネル４１０と、ディスプレイパネル４１０の上部に位置する光路調整フィルム４２０とを備える。
【０１０５】
ここで、光路調整フィルム４２０は、第１屈折率を有する円筒状の第１パターン部４２１を複数含み、第１屈折率より小さい第２屈折率を有して、第１パターン部４２１間に配置される第２パターン部４２３を含むことができる。
【０１０６】
また、光路調整フィルム４２０は、第１屈折率を有する円筒状の第１パターン部４２１を複数含み、第１屈折率より大きい第２屈折率を有して、第１パターン部４２１間に配置される第２パターン部４２３を含むこともできる。
【０１０７】
以下、第１パターン部４２１の第１屈折率が第２パターン部４２３の第２屈折率より大きい場合を例に挙げて説明する。
【０１０８】
ディスプレイパネル４１０については、後述する。
【０１０９】
そして、第１パターン部４２１は、サブピクセルより小さい複数の円筒状からなり、円筒状の直径（ｄ）は１０μｍ以下であり得るが、これに限定されるものではない。
【０１１０】
また、第２パターン部４２３は、第１パターン部４２１間に形成することができる。
【０１１１】
すなわち、複数の第１パターン部４２１間に第２パターン部４２３が配置され得る。
【０１１２】
したがって、光路調整フィルム４２０は、第２パターン部４２３より大きい屈折率を有する複数の円筒状の第１パターン部４２１と、第１パターン部４２１より小さい屈折率を有し、第１パターン部４２１間に配置される第２パターン部４２３とからなり得る。
【０１１３】
ここで、光路調整フィルム４２０は、ポリカーボネート（ＰＣ）やアクリル系の材料から形成することができるが、これに限定されるものではない。
【０１１４】
また、第１パターン部４２１の高さ（ｈ）は１２０μｍ以下であり得るが、これに限定されるものではない。
【０１１５】
かかる本発明の第４実施例に係るディスプレイ装置４００は、光路調整フィルム４２０を用いて、ディスプレイパネル４１０から出射される光の経路を調整することができる。光路調整フィルム４２０を通じた光路の調整は、後述する。
【０１１６】
図１３は、本発明の第４実施例に係るディスプレイ装置の概略的な平面図である。
【０１１７】
図１３に示すように、ペンタイル構造のサブピクセル４１１の配置において、サブピクセル４１１上に光路調整フィルム４２０を配置することができる。
【０１１８】
すなわち、光路調整フィルム４２０に含まれた第１パターン部４２１と第２パターン部４２３が、それぞれのサブピクセル４１１上に複数配置され得る。
【０１１９】
また、各サブピクセル４１１は、光が出射される開口領域４１１ａと、光が出射されない非開口領域４１１ｂを含む。
【０１２０】
前述したように、円筒状の第１パターン部４２１の直径は、サブピクセル４１１の直径より小さく構成することができ、第１パターン部４２１は、均一に配置してもよく、または不均一に配置してもよい。
【０１２１】
このように、本発明の第１実施例の光路調整フィルム４２０は、微細な円筒状の第１パターン部４２１を有するので、ディスプレイパネル（図１２の４１０）のサブピクセル４１１の開口領域４１１ａと、光路調整フィルム４２０の第１パターン部４２１とをアラインする必要がなくなり、工程を簡素化することができる。
【０１２２】
図１４は、図４のＶ‐Ｖに沿った概略的な断面図である。
【０１２３】
図１４に示すように、サブピクセル４１１の上部に光路調整フィルム４２０が配置される。
【０１２４】
ここで、サブピクセル４１１は、開口領域４１１ａと非開口領域４１１ｂを含むことができる。
【０１２５】
そして、サブピクセル４１１の上部に配置された光路調整フィルム４２０は、複数の第１パターン部４２１と第２パターン部４２３からなる。
【０１２６】
ここで、第１パターン部４２１は微細な円筒状からなり、第１パターン４２１の間毎に、第１パターン部４２１より屈折率の小さい第２パターン部４２３が配置される。
【０１２７】
図１４に示すように、第１パターン部４２１および第２パターン部４２３は、それぞれのサブピクセル４１１に複数配置され得る。
【０１２８】
図１５は、本発明の第４実施例に係る光路調整フィルムが配置された場合における光の経路を示す図面である。
【０１２９】
図１５に示すように、サブピクセル４１１の非開口領域４１１ｂからは光が出射されず、開口領域４１１ａから出射された光は、微細な第１パターン部４２１を通過するときに回折され、出射範囲が拡大されたことが分かる。
【０１３０】
すなわち、第１パターン部４２１の幅が光の波長単位に近いぐらい微細な場合には、開口領域４１１ａから出射された光は、第１パターン部４２１を通過しながら回折され、出射範囲が拡大されていることが分かる。
【０１３１】
一方、第１パターン部４２１の幅が光の波長単位より大きい場合には、開口領域４１１ａから出射された光は、第１パターン部４２１を通過しながら屈折し、出射範囲が拡大されることもある。
【０１３２】
すなわち、第１パターン部４２１へ入射した光は、第１パターン部４２１と第２パターン部４２３における屈折率差のため、その殆どが第１パターン部４２１の内部を全反射しながら進み、微細な第１パターン部４２１を通過しながら第１パターン部４２１の外側へ折れる回折、または屈折によって光の出射範囲が拡大できるようになる。
【０１３３】
したがって、サブピクセル４１１から出射された光が光路調整フィルム４２０を通過する場合、サブピクセル４１１の開口領域４１１ａに対応する領域へ出射させると同時に、サブピクセル４１１の非開口領域４１１ｂに対応する領域へも光の経路を調整し、光が出射されるようにするので、サブピクセル４１１の非開口領域４１１ｂに対応する領域が繋がって格子状に認識される格子感を減少させると共に、画像の鮮明度を維持することができる。
【０１３４】
図１６Ａないし図１６Ｃは、本発明の第４実施例に係る光路調整フィルムの変形例を概略的に示す図面である。
【０１３５】
図１６Ａに示すように、本発明の第４実施例に係る光路調整フィルム４２０の下部に第１ベースフィルム４３１を配置することができる。
【０１３６】
ここで、第１ベースフィルム４３１は、光路調整フィルム４２０を支持するためのものであって、ディスプレイパネル（図１２の４１０）と接触して水分や衝撃からディスプレイパネル（図１２の４１０）を保護し、信頼性を確保することもできる。
【０１３７】
図１６Ｂに示すように、光路調整フィルム４２０の上部に第２ベースフィルム４３３を配置してもよく、図１６Ｃに示すように、光路調整フィルム４２０の上部および下部に、第１ベースフィルム４３１と第２ベースフィルム４３３をそれぞれ配置してもよい。
【０１３８】
ここで、第１ベースフィルム４３１および第２ベースフィルム４３３は、ポリエチレンテレフタレート（ＰＥＴ）やポリカーボネート（ＰＣ）、アクリル系の材料から形成することができるが、これに限定されるものではない。
【０１３９】
前述したように、本発明の第４実施例に係るディスプレイ装置（図１２の４００）は、ディスプレイパネル（図１２の４１０）の上部に、微細な大きさの第１パターン部（図１５の４２１）と第２パターン部（図１５の４２３）からなる光路調整フィルム（図１５の４２０）を配置し、各サブピクセル（図１５の４１１）の開口領域（図１５の４１１ａ）から出射された光を、非開口領域（図１５の４１１ｂ）に対応する領域まで拡大することができる。
【０１４０】
それによって、目と画面の距離が近い状態で映像を視聴するＶＲ機器における格子感および画像のぼかしを効果的に改善できるようになる。
【０１４１】
図１７Ａは、本発明の第５実施例に係るディスプレイ装置の光路調整フィルムを概略的に示す斜視図であり、図１７Ｂは、第１パターン部を概略的に示す斜視図である。そして、図１７Ｃは、第１パターン層における光の経路を概略的に示す図面であり、図１７Ｄは、第２パターン層における光の経路を概略的に示す図面である。
【０１４２】
図１７Ａに示すように、本発明の第５実施例に係るディスプレイ装置（図１２の４００）の光路調整フィルム５２０は、第１パターン層５２１と、第１パターン層５２１の上部に配置された第２パターン層５２３を含むことができる。
【０１４３】
示してはいないが、光路調整フィルム５２０は、ディスプレイパネル（図１２の４１０）の上部に配置される。
【０１４４】
ここで、第１パターン層５２１および第２パターン層５２３のそれぞれは、長軸（２ＡＸ）および短軸（１ＡＸ）を持つバー状の複数の第１パターン部（Ｐ１）と、第１パターン部（Ｐ１）間に配置される第２パターン部（Ｐ２）を含むことができる。
【０１４５】
特に、本発明の第５実施例に係るディスプレイ装置（図１２の４００）の光路調整フィルム５２０において、第１パターン層５２１の第１パターン部（Ｐ１）の長軸（２ＡＸ）は、第１軸（Ｘ）に配置され、第２パターン層５２３の第１パターン部（Ｐ１）の長軸（２ＡＸ）は、第１軸（Ｘ）に垂直な第２軸（Ｙ）に配置され得る。
【０１４６】
図１７Ｂに示すように、第１パターン層（図１７Ａの５２１）および第２パターン層（図１７Ａの５２３）に含まれた第１パターン部（Ｐ１）のそれぞれは、台形状の第１面（１Ｓ）、第１面（１Ｓ）の反対に配置される台形状の第２面（２Ｓ）、第１面（１Ｓ）と第２面（２Ｓ）のそれぞれの底辺（ＬＢ）を連結する第３面（３Ｓ）、第３面（３Ｓ）の反対に配置される第４面（４Ｓ）、そして第３面（３Ｓ）と第４面（４Ｓ）を連結する第１傾斜面（５Ｓ）および第２傾斜面（６Ｓ）を含むことができる。
【０１４７】
したがって、第３面（３Ｓ）が第４面（４Ｓ）より大きく形成され得る。
【０１４８】
ここで、第１面（１Ｓ）および第２面（２Ｓ）は、第１パターン部（Ｐ１）が短軸（図１７Ａの１ＡＸ）に配置され、第３面（３Ｓ）および第４面（４Ｓ）、そして第１傾斜面（５Ｓ）および第２傾斜面（６Ｓ）は、第１パターン部（Ｐ１）の長軸（図１７Ａの２ＡＸ）に配置され得る。
【０１４９】
したがって、第１パターン部（Ｐ１）は、鋭角（θ１）と鈍角（θ２）を有する、長軸（図１７Ａの２ＡＸ）に長く伸びた四角錐体状であり得る。
【０１５０】
ここで、鋭角（θ１）は７０°以上であり、９０°より小さく形成される。
【０１５１】
また、第１パターン部（Ｐ１）の第１面（１Ｓ）および第２面（２Ｓ）が有する底辺（ＬＢ）の長さは、１５μｍ以下であり得るが、これに限定されるものではない。
【０１５２】
さらに、第１パターン層（図１７Ａの５２１）および第２パターン層（図１７Ａの５２３）には第１パターン部（Ｐ１）が複数配置され、第１パターン部（Ｐ１）間には、第１パターン部（Ｐ１）より屈折率の小さい第２パターン部（図１７ＡのＰ２）が配置され得る。
【０１５３】
ここで、複数の第１パターン部（Ｐ１）は、互いに隣接する前記第１傾斜面（５Ｓ）および第２傾斜面（６Ｓ）の下部エッジが接触して配置され得る。
【０１５４】
すなわち、複数の第１パターン部（Ｐ１）は、第３面（３Ｓ）が互いに接触して配置され得る。
【０１５５】
このように、第１パターン層（図１７Ａの５２１）と第２パターン層（図１７Ａの５２３）を垂直に配置することで、ディスプレイパネル（図１２の４１０）から出射された光を、第１軸（図１７ＡのＸ）および第２軸（図１７ＡのＹ）へ拡大することができる。
【０１５６】
図１７Ｃに示すように、ディスプレイパネル（図１２の４１０）から出射された光は、第１パターン層５２１を通過しながら、第２軸（Ｙ）の方向へ拡大できるようになる。
【０１５７】
具体的に、各サブピクセル（図１５の４１１）の開口領域（図１５の４１１ａ）から第１パターン層５２１の第３面（３Ｓ）の中央部分へ垂直に入射した光は、屈折することなく、第１パターン層５２１の第４面（４Ｓ）を通じて出射（［１］）される。
【０１５８】
また、各サブピクセル（図１５の４１１）の開口領域（図１５の４１１ａ）から第１パターン層５２１の第３面（３Ｓ）を通じて第１および第２傾斜面（５Ｓ、６Ｓ）へ入射した光は、全反射して光の経路が調整され、最終的にサブピクセル（図１５の４１１）の第２軸（Ｙ）方向の非開口領域（図１５の４１１ｂ）に対応する領域へ、第１パターン層５２１の第４面（４Ｓ）を通じて出射（［２］）される。
【０１５９】
また、微細な第１パターン部（Ｐ１）を通過しながら第１パターン部（Ｐ１）の外側へ折れる回折によって、光の出射範囲が第２軸（Ｙ）方向にさらに拡大され得る。
【０１６０】
そして、図１７Ｄに示すように、第２軸（Ｙ）方向に範囲が拡大された光は、第２パターン層５２３を通過するとき、第１軸（Ｘ）方向に拡大され得る。
【０１６１】
具体的に、第１パターン層（図１７Ｃの５２１）を通過し、第２パターン層５２３の第３面（３Ｓ）の中央部分へ垂直に入射した光は、屈折することなく第２パターン層５２３の第４面（４Ｓ）を通じて出射（［１］）される。
【０１６２】
また、第１パターン層（図１７Ｃの５２１）を通過し、第２パターン層５２３の第３面（３Ｓ）を通じて第１および第２傾斜面（５Ｓ、６Ｓ）へ入射した光は、全反射して光の経路が調整され、最終的にサブピクセル（図１５の４１１）の第１軸（Ｘ）方向の非開口領域（図１５の４１１ｂ）に対応する領域へ、第２パターン層５２３の第４面（４Ｓ）を通じて出射（［２］）される。
【０１６３】
また、微細な大きさの第１パターン部（Ｐ１）を通過しながら第１パターン部Ｐ１の外側へ折れる回折によって、光の出射範囲が第１軸（Ｘ）方向にさらに拡大され得る。
【０１６４】
図１８は、本発明の第５実施例に係るディスプレイ装置の第１パターン層および第２パターン層を通過するときにおける光の出射範囲を概略的に示す図面である。
【０１６５】
図１８に示すように、第１パターン層５２１に入射した光が、第１パターン層５２１を通過しながら第２軸（Ｙ）方向へ拡大されたことが分かる。
【０１６６】
また、第１パターン層５２１を通じて第２軸（Ｙ）方向に拡大された光は、第２パターン層５２３を通過しながら第１軸（Ｘ）方向へ拡大されたことが分かる。
【０１６７】
すなわち、サブピクセル（図１５の４１１）の開口領域（図１５の４１１ａ）から出射された光は、本発明の第５実施例に係る光路調整フィルム５２０を経て、第１軸（Ｘ）および第２軸（Ｙ）に拡大されたことが分かる。
【０１６８】
それによって、サブピクセル（図１５の４１１）の非開口領域（図１５の４１１ｂ）に対応する領域で発生する格子感を効果的に改善できるようになる。
【０１６９】
図１９Ａないし図１９Ｆは、本発明の第５実施例の変形例を概略的に示す図面である。
【０１７０】
図１９Ａに示すように、本発明の第５実施例に係る第１パターン層５２１および第２パターン層５２３を含む光路調整フィルム５２０の下部に、第１ベースフィルム５３１を配置することができる。
【０１７１】
ここで、第１ベースフィルム５３１は、光路調整フィルム５２０を支持するためのものであって、ディスプレイパネル（図１２の４１０）と接触して水分や衝撃からディスプレイパネル（図１２の４１０）を保護し、信頼性を確保することもできる。
【０１７２】
図１９Ｂに示すように、光路調整フィルム５２０の上部および下部に、第１ベースフィルム５３１と第２ベースフィルム５３３をそれぞれ配置することができる。
【０１７３】
また、図１９Ｃに示すように、光路調整フィルム５２０の上部および下部に、第１ベースフィルム５３１と第２ベースフィルム５３３をそれぞれ取り付け、第１パターン層５２１と第２パターン層５２３の間に第３ベースフィルム５３５を配置することもできる。
【０１７４】
さらに、図１９Ｄに示すように、光路調整フィルム５２０の上部および下部に、第１ベースフィルム５３１と第２ベースフィルム５３３をそれぞれ取り付け、第１パターン層５２１と第２パターン層５２３の間に粘着テープ（Ｔ）を配置することもできる。
【０１７５】
ここで、第１ベースフィルムないし第３ベースフィルム５３１、５３３、５３５は、ポリエチレンテレフタレート（ＰＥＴ）やポリカーボネート（ＰＣ）、アクリル系の材料から形成することができるが、これに限定されるものではない。
【０１７６】
また、粘着テープ（Ｔ）は、光学用の接着剤が塗布された両面粘着テープであり得る。
【０１７７】
それによって、第１パターン層５２１と第２パターン層５２３をはっきりと固定させることができる。
【０１７８】
このように、光路調整フィルム５２０の接着、または支持のため、ベースフィルム５３１、５３３、５３５、または粘着テープ（Ｔ）を多様に配置することができる。
【０１７９】
図１９Ｅに示すように、図１９Ｅの光路調整フィルム５２０は、前述した例に比べて逆方向に配置することができる。
【０１８０】
すなわち、第２パターン層５２３がディスプレイパネル（図１２の４１０）の上部に配置され、第２パターン層５２３の上部に第１パターン層５２１が配置される。
【０１８１】
ここで、第２パターン層５２３と第１パターン層５２１のそれぞれは、長軸（２ＡＸ）および短軸（１ＡＸ）を持つバー状の複数の第１パターン部（Ｐ１）と、第１パターン部（Ｐ１）間に配置される第２パターン部（Ｐ２）を含むことができる。
【０１８２】
そして、第１パターン層５２１および第２パターン層５２３に含まれた第１パターン部（Ｐ１）のそれぞれは、台形状の第１面（１Ｓ）、第１面（１Ｓ）の反対に配置される台形状の第２面（２Ｓ）、第１面（１Ｓ）と第２面（２Ｓ）のそれぞれの底辺（ＬＢ）を連結する第３面（３Ｓ）、第３面（３Ｓ）の反対に配置される第４面（４Ｓ）、そして第３面（３Ｓ）と第４面（４Ｓ）を連結する第１傾斜面（５Ｓ）および第２傾斜面（６Ｓ）を含むことができる。
【０１８３】
したがって、第４面（４Ｓ）が第３面（３Ｓ）より大きく形成され得る。
【０１８４】
ここで、第１面（１Ｓ）および第２面（２Ｓ）は、第１パターン部（Ｐ１）が短軸（１ＡＸ）に配置され、第３面（３Ｓ）および第４面（４Ｓ）、そして第１傾斜面（５Ｓ）および第２傾斜面（６Ｓ）は、第１パターン部（Ｐ１）の長軸（２ＡＸ）に配置され得る。
【０１８５】
したがって、第１パターン部（Ｐ１）は、鋭角（θ１）と鈍角（θ２）を有する、長軸（２ＡＸ）に長く伸びた逆四角錐体状であり得る。
【０１８６】
ここで、鋭角（θ１）は７０°以上であり、９０°より小さく形成される。
【０１８７】
また、第１パターン部（Ｐ１）の第１面（１Ｓ）および第２面（２Ｓ）が有する上辺（ＨＢ）の長さは、１５μｍ以下であり得るが、これに限定されるものではない。
【０１８８】
さらに、第１パターン層５２１および第２パターン層５２３には第１パターン部（Ｐ１）が複数配置され、第１パターン部（Ｐ１）間には、第１パターン部（Ｐ１）より屈折率の小さい第２パターン部Ｐ２が配置され得る。
【０１８９】
このように、第１パターン層５２１と第２パターン層５２３を垂直に配列させることで、ディスプレイパネル（図１２の４１０）から出射された光を、第１軸（Ｘ）および第２軸（Ｙ）へ拡大することができる。
【０１９０】
それによって、サブピクセル（図１５の４１１）の非開口領域（図１５の４１１ｂ）に対応する領域で発生する格子感を効果的に改善できるようになる。
【０１９１】
図１９Ｆに示すように、本発明の第５実施例の第１パターン部（Ｐ１）は、互いに離隔して配置することができる。
【０１９２】
すなわち、第１パターン層（図１７Ａの５２１）および第２パターン層（図１７Ａの５２３）のそれぞれに含まれた複数の第１パターン部（Ｐ１）は、互いに一定の距離、離隔して配置され得る。
【０１９３】
複数の第１パターン部（Ｐ１）のそれぞれの離間距離（ｋ）は、１０μｍ以下であり得るが、これに限定されるものではない。
【０１９４】
前述したように、本発明の第５実施例に係るディスプレイ装置（図１２の４００）は、第１パターン層（図１７Ａの５２１）と第２パターン層（図１７Ａの５２３）が互いに垂直に配置された光路調整フィルム（図１７Ａの５２０）を備える。そのため、サブピクセル（図１５の４１１）の開口領域（図１５の４１１ａ）から出射された光は、第１軸（図１７ＡのＸ）方向および第２軸（図１７ＡのＹ）方向へ拡大でき、非開口領域（図１５の４１１ｂ）に対応する領域で発生する格子感を効果的に改善できるようになる。
【０１９５】
図２０は、本発明の第４実施例および第５実施例によって具現化されたディスプレイ装置を示す画像である。
【０１９６】
図２０に示すように、本発明によって具現化されたディスプレイ装置（図１２の４００）では、サブピクセル（図１５の４１１）の開口領域（図１５の４１１ａ）から出射された光が、光路調整フィルム（図１２の４２０、図１７の５２０）を通過し、サブピクセル（図１５の４１１）の開口領域（図１５の４１１ａ）に対応する領域および非開口領域（図１５の４１１ｂ）に対応する領域へ出射されるので、各サブピクセル（図１５の４１１）の画像を鮮明に具現化すると共に、それぞれのサブピクセル（図１５の４１１）の非開口領域（図１５の４１１ｂ）に対応する領域で発生する格子感を減少させたことが分かる。
【０１９７】
図２１は、本発明の実施例に係るディスプレイ装置の一例を概略的に示す図面であって、有機発光ダイオードパネルを備える例である。
【０１９８】
図２１に示すように、放熱フィルム６５０、放熱フィルム６５０の上部には有機発光ダイオードパネル６１０、有機発光ダイオードパネル６１０の上部には前述した光路調整フィルム６２０を配置し、光路調整フィルム６２０の上部には、偏光板６３０と、有機発光ダイオードパネル６１０を保護するためのカバーグラス６４０を配置することができる。
【０１９９】
放熱フィルム６５０は、有機発光ダイオードパネル６１０の駆動時に発生する熱や駆動薄膜トランジスタ（Ｔｄ）の劣化によって寿命が著しく減少することを防止するためのものであって、外気に接触する表面積を向上させるため、連続した凹凸状のパターンで構成することができる。
【０２００】
そして、有機発光ダイオードパネル６１０は、複数のサブピクセル領域（Ｐｒ、Ｐｇ、Ｐｂ）が定義された第１基板６１１と、各サブピクセル領域（Ｐｒ、Ｐｇ、Ｐｂ）に形成された発光ダイオード（Ｅ）と、発光ダイオード（Ｅ）を覆うカプセル化層６１８を含む。
【０２０１】
第１基板６１１の内側のサブピクセル領域（Ｐｒ、Ｐｇ、Ｐｂ）には駆動薄膜トランジスタ（Ｔｄ）が形成され、駆動薄膜トランジスタ（ＴＦＴ、Ｔｄ）の上部には第１保護層６１４が形成される。
【０２０２】
駆動薄膜トランジスタ（Ｔｄ）は、半導体層やゲート電極、ソース電極およびドレイン電極を含み、ゲート電極の上部には層間絶縁膜が形成され、層間絶縁膜の上部にはデータ配線６１３が形成される。
【０２０３】
第１保護層６１４の上部における各サブピクセル領域（Ｐｒ、Ｐｇ、Ｐｂ）には、駆動薄膜トランジスタ（Ｔｄ）に接続される第１電極６１５ａが形成され、第１電極６１５ａの上部における各サブピクセル（Ｐｒ、Ｐｇ、Ｐｂ）には、赤色（Ｒ）・緑色（Ｇ）・青色（Ｂ）を発光する発光パターンを含む発光層６１５ｂが形成され、発光層６１５ｂの上部の全面には第２電極６１５ｃが形成される。
【０２０４】
そして、第１電極６１５ａの上部にはバンク層６１６が形成されるが、バンク層６１６は、赤色（Ｒ）・緑色（Ｇ）・青色（Ｂ）を発光する発光パターンを各サブピクセル領域（Ｐｒ、Ｐｇ、Ｐｂ）毎に区分する働きをする。
【０２０５】
ここで、第１電極６１５ａ、発光層６１５ｂおよび第２電極６１５ｃは、発光ダイオード（Ｅ）を構成する。
【０２０６】
そして、第２電極６１５ｃの上部には、第２保護層６１７が形成され、第２保護層６１７の上部には、カプセル化層６１８が形成される。
【０２０７】
カプセル化層６１８は、第２保護層６１７の上部に有機層および無機層を多層に配置して形成してもよく、第２保護層６１７の上部に面シールで形成してもよい。
【０２０８】
ここで、下板、ＴＦＴ基板、若しくはバックプレーンと称される第１基板６１１は、ガラスまたはプラスチックのような物質から形成することができる。
【０２０９】
発光ダイオード（Ｅ）の上部に形成される第２保護層６１７は、外部から水分や異物が浸透することを防止する役割をして、第２保護層６１７の上部に形成されるカプセル化層６１８は、外部から水分や異物が浸透することを防止すると同時に外部からの衝撃を吸収する役割をする。本発明を説明するに当たり、前述した有機発光ダイオードのパネル構造は一例であり、これに限定されるものではない。
【０２１０】
ここで、有機発光ダイオードパネル６１０の上部に接着剤（ＰＳＡ）を塗布することができ、有機発光ダイオードパネル６１０の上部に前述した光路調整フィルム６２０を貼り付けて、有機発光ダイオードパネル６１０から具現化される光の経路を非開口領域（図１５の４１１ｂ）に対応する領域まで拡張し、画像の鮮明度を維持しながら格子感を減少させることができる。
【０２１１】
また、カプセル化された有機発光ダイオードパネル６１０の上部を光路調整フィルム６２０で保護し、有機発光ダイオードパネル６１０の信頼性をさらに向上させることができる。
【０２１２】
さらに、偏光板６３０は、有機発光ダイオードパネル６１０の自発光体から発射される光と、外部から入射して内部の反射板に反射された外部の自然光（外光）とが互いに干渉してディスプレイの性能が低下することを防止するためのものであって、偏光子の吸収軸と位相差補償フィルムの光学軸（吸収軸）が傾くように配向され、内部の反射板によって反射された外光の波形を回転させることで、反射防止フィルターとしての機能を有する。
【０２１３】
一方、本発明を説明するに当たり、光路調整フィルム６２０が有機発光ダイオードパネル６１０と偏光板６３０との間に配置されたことを説明したが、これは本発明の一例であって、これに限定されるものではない。したがって、偏光板６３０の上部に光路調整フィルム６２０を配置してもよい。
【０２１４】
また、本発明のディスプレイ装置６００がＶＲ機器に適用される場合、ＶＲ機器の構造上、カバーグラス６４０と偏光板６３０は、省略することができる。
【０２１５】
図２２は、本発明の実施例に係るディスプレイ装置の一例を概略的に示す図面であって、液晶パネルを備える例である。
【０２１６】
図２２に示すように、液晶ディスプレイ装置７００は、液晶パネル７１０と、液晶パネル７１０の上部に配置された光路調整フィルム７２０とからなる。
【０２１７】
液晶パネル７１０は、互いに向かい合って第１基板７１１と第２基板７１２が位置しており、これらの両基板７１１、７１２間に液晶層７７９を含んで構成される。
【０２１８】
第１基板７１１には、一方向に伸び、一定の間隔、離隔して複数のゲート配線（不図示）が形成されており、前記各ゲート配線（不図示）と離隔して、平行に共通配線（不図示）が形成される。
【０２１９】
そして、スイッチング素子が形成されるスイッチング領域（ＴｒＡ）に順次積層されたゲート電極７１３、ゲート絶縁膜７１４、半導体層７１５、互いに離隔したソース電極７１６およびドレイン電極７１７は、スイッチング素子である薄膜トランジスタＴｒを構成する。
【０２２０】
また、ゲート絶縁膜７１４上に、ゲート配線（不図示）と交差して画素領域（Ｐａ）を定義するデータ配線７８０が形成される。そのとき、ソース電極７１６は、データ配線７８０と接続される。
【０２２１】
次に、薄膜トランジスタ（Ｔｒ）およびデータ配線７８０上に、薄膜トランジスタ（Ｔｒ）のドレイン電極７１７と前記共通配線（不図示）に対応して、それぞれこれらを露出させるドレインコンタクトホール７１９ａおよび共通配線コンタクトホール（不図示）を備え、無機絶縁物質からなる第１保護層７１８および有機絶縁物質からなり、平坦な表面を有する第２保護層７１９が形成される。
【０２２２】
そして、各画素領域（Ｐ）において、前記第２保護層７１９上に、透明導電性物質、例えば酸化インジウムスズ（ＩＴＯ）または酸化インジウム亜鉛（ＩＺＯ）からなり、前記共通配線コンタクトホール（不図示）を介して前記共通配線（不図示）と接続されるバー状の複数の共通電極７７１と、前記ドレインコンタクトホール７１９ａを介して前記ドレイン電極７１７と接触し、前記複数の共通電極７７１と離隔して、バー状の複数の画素電極７７０とが交互に形成される。
【０２２３】
一方、第１基板７１１に対応する第２基板７１２においては、第１基板７１１と対面する内側面に、各サブピクセル領域の境界および薄膜トランジスタ（Ｔｒ）に対応してブラックマトリクス７７２が備えられ、前記ブラックマトリクス７７２に取り囲まれた領域には、各サブピクセル領域に順次対応する形で赤色・緑色・青色のカラーフィルターパターン（Ｒ、Ｇ、Ｂ）を含むカラーフィルター層７７３が前記ブラックマトリクス７７２と重なって形成される。
【０２２４】
そして、カラーフィルター層７７３を保護するため、平坦な表面を有するオーバーコート層７７８が形成される。
【０２２５】
また、第１基板７１１および第２基板７１２の外側面にそれぞれ第１偏光板７８１および第２偏光板７８２が配置される。第１偏光板７８１および第２偏光板７８２は、透過軸と一致する偏光成分の光を透過させるが、第１偏光板７８１および第２偏光板７８２の透過軸の配置および液晶の配列特性によって、光の透過度合いが決まる。第１偏光板７８１および第２偏光板７８２の透過軸は、垂直に配置される。
【０２２６】
カラーフィルター基板７１２の外側面に配置された第２偏光板７８２の上部に、前述した光路調整フィルム７２０を貼り付けるか、またはカラーフィルター基板７１２の外側面に配置された第２偏光板７８２とカラーフィルター基板７１２との間に、前述した光路調整フィルム７２０を貼り付けて、液晶パネル７１０から具現化される光の経路を非開口領域（図１５の４１１ｂ）に対応する領域まで拡張し、画像の鮮明度を維持しながら格子感を減少させたディスプレイ装置７００を具現化することができる。
【０２２７】
本発明を説明するに当たり、液晶パネルの構造は一例であって、これに限定されるものではない。
【０２２８】
また、本発明を説明するに当たり、ペンタイル構造を例に挙げて説明したが、これは本発明の一例であって、これに限定されるものではない。
【０２２９】
本発明の属する技術分野の当業者は、本発明の技術的思想や必須的な特徴を変更しない限り、他の具体的な形態で実施できることを理解できるであろう。したがって、以上で記述した実施例は、如何なる面でも例示的なものであって、限定的ではないことを理解しなければならない。本発明の範囲は、発明を実施するための形態より特許請求の範囲によって示され、特許請求の範囲の意味や範囲、そしてその等価概念から導出される様々な変更、または変形された形態が本発明の範囲に含まれるものと解釈されなければならない。
【符号の説明】
【０２３０】
１００  ディスプレイ装置、１１０  ディスプレイパネル、１２０  光路調整フィルム、１２１  第１ベースフィルム、１２２  パターン層、１２３  第２ベースフィルム、１２４  パターン、１２５  エアギャップ。
【図１】
2018097365.tif 000003
【図２】
2018097365.tif 000004
【図３】
2018097365.tif 000005
【図４】
2018097365.tif 000006
【図５】
2018097365.tif 000007
【図６Ａ】
2018097365.tif 000008
【図６Ｂ】
2018097365.tif 000009
【図７Ａ】
2018097365.tif 000010
【図７Ｂ】
2018097365.tif 000011
【図８】
2018097365.tif 000012
【図９】
2018097365.tif 000013
【図１０】
2018097365.tif 000014
【図１１】
2018097365.tif 000015
【図１２】
2018097365.tif 000016
【図１３】
2018097365.tif 000017
【図１４】
2018097365.tif 000018
【図１５】
2018097365.tif 000019
【図１６Ａ】
2018097365.tif 000020
【図１６Ｂ】
2018097365.tif 000021
【図１６Ｃ】
2018097365.tif 000022
【図１７Ａ】
2018097365.tif 000023
【図１７Ｂ】
2018097365.tif 000024
【図１７Ｃ】
2018097365.tif 000025
【図１７Ｄ】
2018097365.tif 000026
【図１８】
2018097365.tif 000027
【図１９Ａ】
2018097365.tif 000028
【図１９Ｂ】
2018097365.tif 000029
【図１９Ｃ】
2018097365.tif 000030
【図１９Ｄ】
2018097365.tif 000031
【図１９Ｅ】
2018097365.tif 000032
【図１９Ｆ】
2018097365.tif 000033
【図２０】
2018097365.tif 000034
【図２１】
2018097365.tif 000035
【図２２】
2018097365.tif 000036